【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】
チューナ、コンピュータネットワーク、ビデオ収録機構それぞれにアクセスできる第１コンピューティング装置を備え、当該第１コンピューティング装置はビデオ信号を一つ以上の所定のビデオデータ符号化フォーマットに符号化することができるものであり、
前記コンピュータネットワークで前記第１コンピューティング装置にアクセスできると共に、前記第１コンピューティング装置から遠く離れた第１データ格納装置にアクセスできる第２コンピューティング装置を備え、当該第２コンピューティング装置は自らを証明するユーザＩＤを提出すると共にテレビ放送番組を収録するための録画命令を前記第１コンピューティング装置に提出することができるものであり、
前記第１コンピューティング装置は前記チューナ及び前記ビデオ収録機構を介して前記テレビ放送番組をアクセスして収録することができ、さらに録画されたテレビ放送番組の目に見える部分に前記ユーザＩＤに対応する第１可視ＩＤスタンプを付けて、当該録画されたテレビ放送番組のビデオ符号化されたデータ版を前記第１データ格納装置に転送することができるものであることを特徴とする遠隔ビデオ収録及び検索システム。
【請求項２】
放送情報を受信するためのチューナと、
前記チューナに結合されて前記放送情報を収録及び符号化して前記放送の符号化されたデータファイル表現を生成することのできる収録及び符号化機構と、
ユーザＩＤを含むログオン要求及び録画命令を受信できるようにコンピュータネットワークに結合されたアクセスノードを含むネットワークインタフェースと、
前記収録及び符号化機構に結合されると共に前記ネットワークアクセスノードに結合されたデータ格納装置とからなるメディア収録及び符号化装置であって、
当該装置は、前記録画命令に従って前記チューナと前記収録及び符号化機構とを起動し、結果として生じた符号化されたデータファイルに前記ユーザＩＤに対応するユーザ名を掲示して、当該結果として生じた符号化されたデータファイルを前記データ格納装置に格納することができることを特徴とするメディア収録及び符号化装置。
【請求項３】
放送情報を遠隔的に収録及び検索を行なう方法であって、
ａ  第１のローカルコンピューティング装置を用いてコンピュータネットワークを介して第２のリモートコンピューティング装置に接続し、
b  前記第１のコンピューティング装置を用いて前記第２のコンピューティング装置にユーザＩＤを提出すると共に収録命令を出し、当該収録命令は放送局の選択及び将来の時間を指定する収録時間枠を含んでおり、
ｃ  前記第２のコンピューティング装置を用いて放送受信機をチューニングして前記選択した放送局を受信して、前記収録時間枠に前記選択した放送局から受信した信号の収録を開始し、
ｄ  前記受信した信号を所定の符号化フォーマットに符号化して前記受信信号の符号化されたディジタル表現を生成し、当該符号化されたディジタル表現に前記ユーザＩＤに対応するユーザ名を付け、
ｅ  前記第２のコンピューティング装置を用いて前記符号化されたディジタル表現を前記コンピュータネットワークを介して所定の宛先に送信し、
ｆ  前記所定の宛先場所から前記符号化されたディジタル表現をアクセスすることからなることを特徴とする方法。
【請求項４】
放送番組の予約及び検索の方法であって、
ａ  認可されたユーザのユーザデータベースを保持し、
ｂ  ユーザ予定者のユーザ確認情報を要求し、
ｃ  前記ユーザデータベースを用いて前記ユーザ予定者を認証し、そして前記ユーザ予定者が前記確認情報と前記ユーザデータベースとによって許可されたユーザとして認証されない限りステップｅへは進まず、
ｅ  前記許可されたユーザから収録命令を受理し、当該収録命令を予定作成データベースに格納し、前記収録命令を前記許可されたユーザと対応づけ、
ｆ  前記予定作成データベースを検討して前記予定作成データベースによって決められた通りに収録セッションを開始し、当該収録セッションは収録された放送番組の所定の符号化フォーマットへの符号化を含むものであり、
ｇ  前記許可されたユーザに前記収録セッションの完了を通知することからなることを特徴とする方法。
【手続補正２】
【補正対象書類名】明細書
【補正対象項目名】０１７
【補正方法】変更
【補正の内容】
【０１７】
添付図面と共に下記の説明及び特許請求の範囲を参考にすることによって本発明をさらに深く理解すると共に本発明の他の目的及び功績が明確になり、その利点を理解できるようになる。
例えば本発明の遠隔ビデオ収録及び検索システムは、チューナ、コンピュータネットワーク、ビデオ収録機構それぞれにアクセスできる第１コンピューティング装置を備え、当該第１コンピューティング装置はビデオ信号を一つ以上の所定のビデオデータ符号化フォーマットに符号化することができるものであり、前記コンピュータネットワークで前記第１コンピューティング装置にアクセスできると共に、前記第１コンピューティング装置から遠く離れた第１データ格納装置にアクセスできる第２コンピューティング装置を備え、当該第２コンピューティング装置は自らを証明するユーザＩＤを提出すると共にテレビ放送番組を収録するための録画命令を前記第１コンピューティング装置に提出することができるものであり、前記第１コンピューティング装置は前記チューナ及び前記ビデオ収録機構を介して前記テレビ放送番組をアクセスして収録することができ、さらに録画されたテレビ放送番組の目に見える部分に前記ユーザＩＤに対応する第１可視ＩＤスタンプを付けて、当該録画されたテレビ放送番組のビデオ符号化されたデータ版を前記第１データ格納装置に転送することができるものであることを特徴とする。
又、上記構成に加えて、前記第１可視ＩＤは前記ユーザＩＤであることを特徴とする。
又、更に、上記構成に加えて、前記第１コンピューティング装置はさらに前記録画されたテレビ放送番組に第２の可視ＩＤスタンプを付け、当該第２可視ＩＤスタンプは収録された放送局、録画が行なわれた日付、時間、及び録画した番組名のうちの一つ以上を識別するものであることを特徴とする。
又、更に、上記構成に加えて、前記第１コンピューティング装置は汎用コンピュータで使用するコンピュータドータボードであることを特徴とする
又、更に、上記構成に加えて、前記チューナ及び前記ビデオ収録機構は一体化されて前記コンピュータドータボードになっていることを特徴とする。
又、更に、上記構成に加えて、前記コンピュータドータボードにはさらにネットワークインタフェースが組み込まれていることを特徴とする。
又、更に、上記構成に加えて、前記ビデオ収録機構はデータエンコーダを内蔵することを特徴とする。
又、更に、上記構成に加えて、前記第１コンピューティング装置はパートナーコンピューティング装置を識別する一つ以上のパートナーＩＤの記録を含み、当該パートナーコンピューティング装置から提出された録画命令だけを受理するものであり、第２コンピューティング装置は前記一つ以上のパートナーＩＤと一致する識別用ハードウエアＩＤを含むことを特徴とする。
又、更に、上記構成に加えて、前記第２コンピューティング装置は、前記録画命令を出す前に前記識別用ハードウエアＩＤを前記第１コンピューティング装置に提出して承認を求めることを特徴とする。
又、更に、上記構成に加えて、前記第２コンピューティング装置は第２の汎用コンピュータで使用する第２のコンピュータドータボードであることを特徴とする。
又、更に、上記構成に加えて、前記第２コンピューティング装置は、前記第１コンピューティング装置による前記テレビ放送番組の録画後、前記ビデオ符号化データファイルの検索を開始することを特徴とする。
又、更に、上記構成に加えて、前記コンピュータネットワークはインターネットであることを特徴とする。
又、更に、上記構成に加えて、前記第１コンピューティング装置は、インターネットで前記ビデオ符号化されたデータファイルの前記第１データ格納装置への転送を自動的に開始することを特徴とする。
又、更に、上記構成に加えて、前記コンピューティング装置は、インターネットのファイル転送プロトコルＦＴＰユーティリティを用いて前記ビデオ符号化されたデータファイルを転送することを特徴とする。
又、更に、上記構成に加えて、前記第１データ格納装置は前記第２コンピューティング装置内部にあることを特徴とする。
又、更に、上記構成に加えて、前記第１コンピューティング装置は、前記ビデオ符号化されたデータの前記第１データ格納装置への転送が完了すると同時に前記ビデオ符号化されたデータファイルを削除することを特徴とする。
又、更に、上記構成に加えて、前記第１データ格納装置は前記第２コンピューティング装置にとってリモートであることを特徴とする。
又、更に、上記構成に加えて、前記第２コンピューティング装置はインターネットで前記第１データ格納装置をアクセスすることを特徴とする。
又、更に、上記構成に加えて、前記第２コンピューティング装置は、前記第１コンピューティング装置によって作成された前記ビデオ符号化されたデータファイルの最大のファイルサイズを指定することを特徴とする。
又、更に、上記構成に加えて、前記第１コンピューティング装置は、収録されたテレビ放送番組を前記最大サイズ以下のサイズの連続する番組セグメントの符号化された複数のデータファイルに分割することを特徴とする。
又、更に、上記構成に加えて、前記第１コンピューティング装置は、前記収録されたテレビ放送番組を連続して見せるように、前記複数の番組セグメントデータファイルを再生する順番を指定するマスタシーケンスファイルをさらに生成することを特徴とする。
又、更に、上記構成に加えて、前記第１コンピューティング装置は、符号化されたデータファイル及び前記マスタシーケンスを連続して前記第１メモリ記憶装置に転送することを特徴とする。
又、更に、上記構成に加えて、前記第１コンピューティング装置は、前記複数の番組セグメントデータファイル及び前記マスタシーケンスファイルそれぞれの前記第１データ格納装置への転送が完了すると削除することを特徴とする。
又、更に、上記構成に加えて、前記第１コンピューティング装置は、いかなるファイルでも削除する前に第１データベースの内容を見ることによってファイル転送の完了を確認して、ファイルの転送又は削除に関して前記第１データベースに注釈を付けることを特徴とする。
又、更に、上記構成に加えて、前記複数の番組セグメントデータファイルはそれぞれ複数のデータフラグメントデータパケットとして前記第１データ格納装置に転送されて、各データパケットの受信を確認する前記第１データ格納装置からの肯定応答信号を監視し、前記第１コンピューティング装置は受け取り確認のあった全てのデータパケットのログを保持して前記番組セグメントデータファイルのそれぞれのファイル転送の完了を確認すると共に、受信の確認応答が届いていない番組セグメントデータファイルのデータパケットだけを再び送信し始めることによって送信の中断に応答することを特徴とする。
又、更に、上記構成に加えて、前記第１コンピューティング装置は、前記複数の符号化されたビデオデータファイルのそれぞれを構成するファイルフラグメントデータパケットがすべて前記第１データ格納装置に転送されると直ちに前記複数の符号化されたデータファイルをそれぞれ削除することを特徴とする。
又、更に、上記構成に加えて、前記第１コンピューティング装置は第２データ格納装置を有し、そしてローカルに前記第１コンピューティング装置に入手可能なテレビ放送予定番組のリストと、変更可能な好適なビデオ符号化フォーマットセレクションフィールド、前記第２データ格納装置上で使用可能なフリー空間のリスト、及び現時点で選択されている好適なビデオ符号化フォーマットと現時点で使用可能なフリー空間とに基づいた収録に使用できると予想される時間を前記第２コンピューティング装置に送ることによって前記第１コンピューティング装置は前記第２コンピューティング装置からの問い合わせに応答することを特徴とする。
又、更に、上記構成に加えて、前記第２コンピューティング装置は、前記テレビ放送予定番組リストから録画するための番組を選択することによって前記第１コンピューティング装置に録画命令を出すことを特徴とする。
又、更に、上記構成に加えて、前記第１コンピューティング装置は各ビデオ符号化フォーマットごとに解像度画質因子と画面サイズのうちの少なくとも一つを選択できるようにし、選択された解像度画質因子、画面サイズ、及びビデオ符号化フォーマットの組み合わせごとにビデオシーケンス１分あたりに要するメモリ空間の量が異なってくることを特徴とする。
又、更に、上記構成に加えて、前記第１コンピューティング装置は前記第２コンピューティング装置にアクセスを許可する前に前記第２コンピューティング装置用の検証ログオンシーケンスを提供することを特徴とする。
又、更に、上記構成に加えて、前記第１コンピューティング装置はタイマー及びプログラム命令のデータベースを内蔵しており、前記第１コンピューティング装置は番組のスタート時間を前記タイマーと比較して一致する時間と対応させた前記データベース内の命令に前記チューナを調節して前記収録機構を起動させることによって一致する時間に応答し、前記第１コンピューティング装置はさらに前記データベースを用いて録画命令における競合を識別することを特徴とする。
又、更に、上記構成に加えて、前記収録機構は前記チューナに結合されると共に前記第１コンピューティング装置との通信リンクを有するビデオカセット収録機構であり、当該通信リンクはスタート、ストップ、録画、巻き戻し、前送り、再生の各コマンドを前記第１コンピューティング装置から前記ビデオカセット録画機構に送信することができるものであることを特徴とする。
又、更に、上記構成に加えて、前記ビデオカセット収録機構は前記第１コンピューティング装置のビデオイン端末に結合されたビデオアウト端末をさらに含み、前記第１コンピューティング装置は前記ビデオカセット収録機構内のビデオカセットを巻き戻して録画された番組を前記ビデオアウト端末上に再生することによって録画セッションの終了に応答し、前記第１コンピューティング装置は前記データベースによって判定された対応するビデオ符号化フォーマットを用いることによって信号をそのビデオイン端末上で符号化することができるものであり、前記第１コンピューティング装置は前記符号化された画像を第２データ格納装置に格納することを特徴とする。
又、更に、上記構成に加えて、前記第１コンピューティング装置は、前記録画された番組が全て符号化された後、前記ビデオ符号化されたデータファイルを前記第１メモリ記憶装置に転送し始めることを特徴とする。
又、更に、上記構成に加えて、前記第１コンピューティング装置は、前記録画された番組の符号化が完了する前に、符号化されたビデオデータを前記第１メモリ記憶装置に転送し始めることを特徴とする。
又、更に、上記構成に加えて、前記第１コンピューティング装置は放送中の複数の番組を同時に収録できるように複数のチューナにアクセスすることができ、前記第１コンピューティング装置はさらに録画予定の同時番組数が使用可能なチューナ数を超えると、前記第２コンピューティング装置に警告を発することができるものであることを特徴とする。
又、更に、上記構成に加えて、前記第１コンピューティング装置は複数の収録機構にアクセスすることができ、前記複数のチューナは当該複数の収録機構に一対一の対応を有することを特徴とする。
又、更に、上記構成に加えて、前記複数の収録機構は、複数の独立制御可能なビデオカセットレコーダ及び複数の独立制御可能なディジタル収録装置のうちの少なくとも一方であることを特徴とする。
又、更に、上記構成に加えて、前記第１コンピューティング装置は、前記複数のチューナと一対一の対応を有する複数のメモリ空間に分割された第２メモリ記憶装置を内蔵することを特徴とする。
又、更に、上記構成に加えて、前記収録機構は前記複数のチューナ間で多重化された一つのディジタル収録装置で、当該ディジタル収録装置は用いたチューナのビデオ符号化データ表現を生成すると共に、その用いたチューナに対応する前記第２メモリ記憶装置内のメモリ空間に前記ビデオ符号化されたデータを格納することができるものであることを特徴とする。
又、更に、上記構成に加えて、前記第２メモリ記憶装置においては、連続する合成メモリ空間が上位メモリ空間と、下位メモリ空間と、当該上下メモリ空間の間にあるバッファメモリとに分割されており、前記複数のチューナは前記上位メモリに対応する第１チューナと前記下位メモリに対応する第２チューナとを含み、前記第１チューナは対応した第１優先順位を有して第２チューナは当該第１優先順位とは異なる対応した第２優先順位を有し、前記第１チューナに対応するビデオ符号化されたデータは前記下位メモリ空間に向かって昇順に前記上位メモリ空間に書き込まれ、そして前記第２チューナに対応するビデオ符号化されたデータは前記上位メモリ空間に向かって降順に前記下位メモリ空間に書き込まれ、前記第１コンピューティング装置は、前記第１チューナに対応するビデオ符号化されたデータ及び前記第２チューナに対応するビデオ符号化されたデータのうちの一方が前記バッファメモリ内に侵入してくると、メモリ競合ルーチンを起動することができ、当該メモリ競合ルーチンは前記第１及び第２のチューナのうち優先順位が低い方の録画を活動停止にすることができるものであることを特徴とする。
又、更に、上記構成に加えて、前記メモリ競合ルーチンはさらに、前記第１及び第２のチューナのうち優先順位の高い方がその対応メモリ空間を優先順位の低いチューナのメモリ空間内に広げられるようにするものであることを特徴とする。
又、更に、上記構成に加えて、前記ディジタルメモリ空間はそれぞれ別々のディジタルメモリ格納装置であり、前記第１コンピューティング装置は前記ディジタルメモリ格納装置のそれぞれの中にある使用可能なメモリの量を監視すると共に現在アクティブでないチューナに対応するフリーのメモリ格納装置を識別することができ、前記第１コンピューティング装置はさらにアクティブなチューナがメモリ格納装置を容量いっぱいにすると当該アクティブなチューナに別のフリーなメモリ格納装置を割り当てることによって対処することを特徴とする。
又、更に、上記構成に加えて、前記複数のチューナにはそれぞれ対応した全く異なる優先順位があり、前記第１コンピューティング装置は全チューナがアクティブで、且つ第１アクティブチューナがその対応するメモリ格納装置を容量いっぱいにする状況に応答する低メモリ競合ルーチンを含み、前記メモリ競合ルーチンは優先度最下位のチューナを識別して活動停止にし、そして優先度最下位のメモリ格納装置を前記第１アクティブチューナに割り当てることを特徴とする。
又、更に、上記構成に加えて、前記第１コンピューティング装置は、前記第２コンピューティング装置からの録画命令を受理する前に予め許可されていることを確認し、前記第１コンピューティング装置は録画できるテレビ放送予定番組のリストを表示することによって前記第２コンピューティング装置の許可の確認に応答し、当該リストに載っているテレビ放送番組はテレビ放送番組の放送時間及び周波数チューニング要件を含むデータベースの一部であり、前記第２コンピューティング装置は前記リストから選択することによって前記第１コンピューティング装置に命令を出すことを特徴とする。
又、更に、上記構成に加えて、前記第２コンピューティング装置は前記第２コンピューティング装置に提出された録画セッションごとにサービス料金を請求されることを特徴とする。
又、例えば本発明のメディア収録及び符号化装置は、放送情報を受信するためのチューナと、前記チューナに結合されて前記放送情報を収録及び符号化して前記放送の符号化されたデータファイル表現を生成することのできる収録及び符号化機構と、ユーザＩＤを含むログオン要求及び録画命令を受信できるようにコンピュータネットワークに結合されたアクセスノードを含むネットワークインタフェースと、前記収録及び符号化機構に結合されると共に前記ネットワークアクセスノードに結合されたデータ格納装置とからなるメディア収録及び符号化装置であって、当該装置は、前記録画命令に従って前記チューナと前記収録及び符号化機構とを起動し、結果として生じた符号化されたデータファイルに前記ユーザＩＤに対応するユーザ名を掲示して、当該結果として生じた符号化されたデータファイルを前記データ格納装置に格納することができることを特徴とする。
又、更に、上記構成に加えて、前記コンピュータネットワークはインターネットで、前記収録及び符号化機構はさらに前記データファイルを前記ネットワークアクセスノードを介してインターネットで所定の宛先に送信することができることを特徴とする。
又、更に、上記構成に加えて、前記ユーザ名は前記ユーザＩＤであることを特徴とする。
又、更に、上記構成に加えて、前記結果として生じた符号化されたデータファイルに二次的な情報をさらに掲示することができ、当該二次的な情報は録画された放送ネットワークのＩＤ、録画された放送番組、録画が行なわれた日付、及び録画が行なわれた時間のうちの少なくとも一つであることを特徴とする。
又、更に、上記構成に加えて、前記放送情報はビデオ情報で、前記ユーザ名は前記結果として生じた符号化されたデータファイルからなる録画したものの可視部分に掲示されることを特徴とする。
又、更に、上記構成に加えて、前記放送情報はラジオ放送で、前記ユーザ名は前記ユーザ名をコンピュータ合成による音声発音及び前記結果として生じた符号化されたデータファイルに添付されたテキストシーケンスのうちの一つとして掲示されることを特徴とする。
又、更に、上記構成に加えて、コンピュータドータボードをさらに含み、前記チューナと、収録及び符号化機構と、ネットワークインターフェースとは当該コンピュータドータボードに組み込まれていることを特徴とする。
又、更に、上記構成に加えて、パートナーコンピューティング装置を識別する一つ以上のパートナーＩＤの記録をさらに含み、前記ログオン要求はさらにログオン要求を提出するコンピューティング装置のハードウエアＩＤをさらに含み、当該ハードウエアＩＤが前記一つ以上のパートナーＩＤと一致しないことにより前記コンピューティング装置へのアクセスを拒否することができるものであることを特徴とする。
又、更に、上記構成に加えて、前記収録及び符号化機構は前記放送情報を収録するためのビデオテープ収録ユニットを含むと共に当該ビデオテープ収録ユニットからの収録された放送情報を符号化するためのビデオキャプチャ回路を内蔵し、前記ユーザ名は収録され符号化された放送情報の可視部分に掲示されることを特徴とする。
又、更に、上記構成に加えて、前記チューナと、収録及び符号化機構と、ネットワークアクセスノードと、第２データ格納装置とはビデオカセットレコーダ及びディジタルビデオレコーダのうちどちらか一方の構成要素であることを特徴とする。
又、更に、上記構成に加えて、前記装置はさらにプッシュホンから信号を受信するために電話アクセスノードを含み、当該プッシュホンからの所定シーケンスのキートーンに応答して第１の動作モードを開始し、前記所定シーケンスのキートーンの不在により第２の動作モードを開始し、前記第１の動作モードは、前記プッシュホンを介して録画予約命令を受信することができ、前記第２の動作モードは、前記プッシュホンの受信装置に対して前記プッシュホンからの音声メッセージを求める音声要求を送ることができ、さらに前記プッシュホンからの前記音声メッセージを録音することができることを特徴とする。
又、更に、上記構成に加えて、前記第２の動作モードはさらに、前記音声メッセージをディジタル符号化して、その結果として生じたディジタルファイルを前記ネットワークアクセスノードを介して第２の所定の宛先にインターネットで送信することができることを特徴とする。
又、更に、上記構成に加えて、前記ディジタルファイルは電子メールで前記第２の所定の宛先に送られることを特徴とする。
又、更に、上記構成に加えて、前記チューナはテレビチューナ及びラジオチューナのうちの一つであることを特徴とする。
又、更に、上記構成に加えて、前記チューナは複数あるチューナのうちの一つで、前記第２データ格納装置はさらに当該複数のチューナそれぞれに一対一で対応している複数のメモリ記憶装置からなり、各チューナとそれに対応するメモリ記憶装置とは、そのチューナがアクティブかどうか、後から使用する予定が入っているかどうか、或いはフリー（つまり、そのチューナが非アクティブでしかも後から使用する予定にもなっていないことを示す）かどうかを示す共通のステータス格付けを共用し、アクティブは予約済みより格が上で、また予約済みはフリーよりも格が上であり、各チューナとそれに対応するメモリ記憶装置はさらに調整可能な優先順位を共有し、当該優先順位は或るチューナが後から使用する予定になっていると選択的に調整される低デフォルト値を有し、前記装置は、アクティブなチューナの対応するメモリ記憶装置の中に残っている使用可能なメモリ空間を監視することができると共に、当該使用可能なメモリ空間が所定値より下がることによりメモリ再割り当てルーチンを起動することができ、当該メモリ再割り当てルーチンは格付けが最下位のステータスを有するメモリ記憶装置の集合を識別してその集合内で優先順位最下位の記憶装置を前記アクティブなチューナに割り当てることができることを特徴とする。
又、例えば本発明の放送情報を遠隔的に収録及び検索を行なう方法は、  ａ  第１のローカルコンピューティング装置を用いてコンピュータネットワークを介して第２のリモートコンピューティング装置に接続し、  b  前記第１のコンピューティング装置を用いて前記第２のコンピューティング装置にユーザＩＤを提出すると共に収録命令を出し、当該収録命令は放送局の選択及び将来の時間を指定する収録時間枠を含んでおり、  ｃ  前記第２のコンピューティング装置を用いて放送受信機をチューニングして前記選択した放送局を受信して、前記収録時間枠に前記選択した放送局から受信した信号の収録を開始し、  ｄ  前記受信した信号を所定の符号化フォーマットに符号化して前記受信信号の符号化されたディジタル表現を生成し、当該符号化されたディジタル表現に前記ユーザＩＤに対応するユーザ名を付け、  ｅ  前記第２のコンピューティング装置を用いて前記符号化されたディジタル表現を前記コンピュータネットワークを介して所定の宛先に送信し、  ｆ  前記所定の宛先場所から前記符号化されたディジタル表現をアクセスすることからなることを特徴とする。
又、更に、上記構成に加えて、前記ユーザ名は選択されて前記ユーザＩＤになることを特徴とする。
又、更に、上記構成に加えて、ステップｄは前記符号化されたディジタル表現にデータフィールドを付けることを含み、当該データフィールドは収録の対象となった放送局のＩＤと、収録の対象となった放送番組と、収録が行なわれた日付と、収録が行なわれた時間とのうちの少なくとも一つを含むように選択されることを特徴とする。
又、更に、上記構成に加えて、前記放送局はテレビ放送局で、前記ユーザ名は収録したものの可視部分に掲示されることを特徴とする。
又、更に、上記構成に加えて、前記放送局はラジオ局で、前記ユーザ名は前記ユーザ名のコンピュータ合成による音声発音及び前記受信信号の前記符号化されたディジタル表現に添付されたテキストシーケンスのうちの一つとして掲示されることを特徴とする。
又、更に、上記構成に加えて、さらに前記第２のリモートコンピューティング装置内にコンピュータドータボードを設け、当該ドータボードにチューナとネットワークインタフェースとエンコーダとを備えることを含むことを特徴とする。
又、更に、上記構成に加えて、さらに前記第２リモートコンピューティング装置にパートナーコンピューティング装置を識別する少なくとも一つのパートナーＩＤの収録を付け、前記第１コンピューティング装置にハードウエアＩＤを付け、
前記ステップｂはさらに前記第１コンピューティング装置を用いて前記ハードウエアＩＤを前記第２コンピューティング装置に送り、ステップｃに進む前に前記第２コンピューティング装置にその前記第２ハードウエアＩＤが前記少なくとも一つのパートナーＩＤと一致することを確認するよう求めることを含むことを特徴とする。
又、更に、上記構成に加えて、前記コンピュータネットワークはインターネットであることを特徴とする。
又、更に、上記構成に加えて、前記放送受信機はテレビ放送信号を受信することを特徴とする。
又、更に、上記構成に加えて、前記放送受信機はラジオ放送信号を受信することを特徴とする。
又、更に、上記構成に加えて、前記第１コンピューティング装置はさらに前記第２コンピューティング装置にファイルの最大サイズを指定するのに用いられ、前記符号化されたディジタル表現は当該最大ファイルサイズ以下のサイズを有する複数のデータファイルに分割されることを特徴とする。
又、更に、上記構成に加えて、前記複数のデータファイルはステップｅで前記所定の宛先に送信されることを特徴とする。
又、更に、上記構成に加えて、ステップｄはさらに前記複数のデータファイルにアクセスする順番を示すマスタシーケンスファイルを生成することを含むことを特徴とする。
又、更に、上記構成に加えて、前記所定の宛先は前記第１コンピューティング装置から遠く離れ且つ前記コンピュータネットワークを介して前記第１コンピューティング装置からアクセス可能であることを特徴とする。
又、更に、上記構成に加えて、ステップｅは前記符号化された信号表現を前記所定の宛先に電子メールで送信することを含むことを特徴とする。
又、更に、上記構成に加えて、ステップｅは前記符号化された信号表現を前記所定の宛先にファイル転送プロトコルＦＴＰで送信することを含むことを特徴とする。
又、更に、上記構成に加えて、放送局及び対応する収録時間枠の選択を指定する収録命令の集合はそれぞれ収録セッションと定義され、ステップｂは複数の収録セッションを前記第２コンピューティング装置に送り、前記第２コンピューティング装置は前記複数の収録セッションそれぞれに一対一の対応において別々のメモリ空間を割り当て、ステップｄは収録セッションの符号化された信号表現をその対応メモリ空間に格納することを含むことを特徴とする。
又、更に、上記構成に加えて、ステップｂは前記第１コンピューティング装置を用いて前記複数の収録セッションに優先順位を選択的に割り当て、第２コンピューティング装置は前記第１コンピューティング装置から優先順位を割り当てられていない収録セッション全てにデフォルトの優先順位を割り当てることを特徴とする。
又、更に、上記構成に加えて、前記複数の収録セッションにはそれぞれ優先順位があり、ステップｄは第１優先順位を有する第１収録セッションに対応する第１メモリ空間を当該第１優先順位より高い第２優先順位を有する第２収録セッションに改めて割り当てることを含むことを特徴とする。
又、更に、上記構成に加えて、前記第１収録セッションは前記第１メモリ空間の第１エンドから始まる前記第１メモリ空間にデータを格納し、前記第２収録セッションは前記第１メモリ空間の前記第１エンドとは反対側の第２エンドから始まる前記第１メモリ空間にデータを格納することを特徴とする。
又、更に、上記構成に加えて、前記第２収録セッションには第２メモリ空間が対応して割り当てられており、前記第２収録セッションで所定の割合の前記第２メモリ空間がいっぱいになると前記第２収録セッションに前記第１メモリ空間が改めて割り当てられることを特徴とする。
又、例えば本発明の放送番組の予約及び検索の方法は、ａ  認可されたユーザのユーザデータベースを保持し、  ｂ  ユーザ予定者のユーザ確認情報を要求し、  ｃ  前記ユーザデータベースを用いて前記ユーザ予定者を認証し、そして前記ユーザ予定者が前記確認情報と前記ユーザデータベースとによって許可されたユーザとして認証されない限りステップｅへは進まず、  ｅ  前記許可されたユーザから収録命令を受理し、当該収録命令を予定作成データベースに格納し、前記収録命令を前記許可されたユーザと対応づけ、  ｆ  前記予定作成データベースを検討して前記予定作成データベースによって決められた通りに収録セッションを開始し、当該収録セッションは収録された放送番組の所定の符号化フォーマットへの符号化を含むものであり、  ｇ  前記許可されたユーザに前記収録セッションの完了を通知することからなることを特徴とする。
又、更に、上記構成に加えて、ステップａは全く異なるハードウエアＩＤを複数の電子付属機器と対応付けることをさらに含み、ユーザ予定者が前記全く異なるハードウエアＩＤの一つを有する前記複数の電子付属機器の一つを使ってアクセスを要求しない限りステップｅに進むことを許可しないことを特徴とする。
又、更に、上記構成に加えて、ステップａは前記電子付属機器のそれぞれを前記ユーザデータベース内の対応する許可されたユーザと相関させることをさらに含み、ステップｃはさらに前記許可されたユーザがアクセスを求めるとき相関関係にある電子付属機器を使用しなければステップｅに進むことを許可しないことを特徴とする。
又、更に、上記構成に加えて、前記電子付属機器は、コンピュータドータボードとコンピューティング装置に外部アクセス可能な電子ＩＤキーとを含むリストから選ばれることを特徴とする。
又、更に、上記構成に加えて、ステップｅは符号化フォーマットの選択を受理することをさらに含むことを特徴とする。
又、更に、上記構成に加えて、前記符号化フォーマットの選択はステップｆの前記所定の符号化フォーマットであることを特徴とする。
又、更に、上記構成に加えて、ステップｆは前記所定の符号化フォーマットを前記受理したフォーマット選択と比較して、一致しないときは前記所定の符号化フォーマットを前記受理したフォーマット選択に変換することをさらに含むことを特徴とする。
又、更に、上記構成に加えて、前記受理した符号化フォーマット選択はオーディオ収録データ符号化フォーマット及びビデオ収録データ符号化フォーマットのうちの一つであることを特徴とする。
又、更に、上記構成に加えて、地理的に異なる場所に対応するデフォルト放送方式と相関する放送方式データベースを保持することをさらに含み、ステップｅは、前記認証されたユーザの地理的場所に関する情報を受理し、収録対象番組のデフォルト放送方式が認証ユーザの受理した地理的場所に相関する放送方式と同じかどうかを判定し、もし同じでない場合にはステップｆに収録された番組を認証ユーザの受理した地理的場所と対応したデフォルト放送番組に変換するステップを含めるよう要求することをさらに含むことを特徴とする。
又、更に、上記構成に加えて、前記放送方式データベースはＰＡＬ及びＮＴＳＣのデフォルト放送方式の使用と相関する地理的場所を少なくとも含むことを特徴とする。
又、更に、上記構成に加えて、地理的に異なる場所に対応するデフォルト放送方式と相関する放送方式を保持することをさらに含み、ステップｅは、選択された放送方式を前記認証ユーザから受理し、収録対象の番組のデフォルト放送方式が前記選択された放送方式と同じかどうかを判定し、もし同じでない場合にはステップｆに収録された番組を前記選択された放送方式に変換するステップを含めるよう要求することをさらに含むことを特徴とする。
又、更に、上記構成に加えて、ステップｅは地理的な領域リストを提供して当該リストから選択された地理的領域を受理し、当該選択された地理的領域で入手可能な放送番組の一覧を提供することをさらに含むことを特徴とする。
又、更に、上記構成に加えて、ステップｆの収録セッションは前記選択された地理的領域内で実行されることを特徴とする。
又、更に、上記構成に加えて、ステップｆは前記認証ユーザの第１識別子及び符号化された記録されたものの中に前記受理した収録命令の少なくとも一部を表示する第２識別子のうちの一つを組み込むことをさらに含むことを特徴とする。
又、更に、上記構成に加えて、前記第１又は第２の識別子は前記符号化された収録されたものの可読テキストセクションとして組み込まれることを特徴とする。
又、更に、上記構成に加えて、前記符号化された記録はビデオ記録で、前記第１又は第２の識別子は記録が再生されると可視メッセージとして前記符号化された記録の中に組み込まれることを特徴とする。
又、更に、上記構成に加えて、前記符号化された記録は純粋に音声記録で、前記第１又は第２の識別子は記録が再生されると可聴メッセージとして前記符号化された記録の中に組み込まれることを特徴とする。
又、更に、上記構成に加えて、ステップｆは記録をデータファイルとして前記認証ユーザに送信することをさらに含むことを特徴とする。